(57)【要約】  【課題】  面ファスナーの非係合部分における基布面の毛羽立ちを未然に防ぎ、品質のよい面ファスナーに仕上げる。  【解決手段】  面ファスナーは表基布４と裏基布５とからなる経二重織物１から形成し、基布４，５に係合素子７を形成する係合素子用糸８を織り込み、表基布４の表面へ係合素子７を突出させて係合部１０を形成するとともに、耳部などの非係合部１１における経糸２に搦み糸１３を絡み付けて織成し、表基布４と裏基布５との間に経糸２、緯糸３、係合素子用糸８、搦み糸１３よりも融点の低い熱溶融糸１４を織り込み、加熱溶融して表基布４と裏基布５とを一体に溶着し、非係合部１１の表面に毛羽立ち現象の発生を防ぐ。  【選択図】  図１
2006026193.tif 000002
【特許請求の範囲】
【請求項１】
表基布４と裏基布５とからなる経二重織物１の基布４，５に面ファスナーの係合素子７を形成する係合素子用糸８を織り込み、織成面の表面へ係合素子７を突出させて係合部１０を形成し、表基布４に設ける非係合部１１の経糸２を搦み糸１３で絡み付け、表基布４と裏基布５との間に経糸２、緯糸３、係合素子用糸８、搦み糸１３よりも融点の低い熱溶融糸１４を織り込み、加熱溶融して表基布４と裏基布５とを一体に溶着してなることを特徴とする面ファスナー。
【請求項２】
基布４，５の縦方向に配列した係合素子７間に形成された非係合部１１に搦み糸１３を配設してなる請求項１記載の面ファスナー。
【請求項３】
基布４，５の両側縦方向に形成された耳部１２の非係合部１１に搦み糸１３を配設してなる請求項１記載の面ファスナー。
【請求項４】
搦み糸１３は表基布４に配する２本の経糸２のうち、一方の経糸２は中間を、他方の経糸２は前後の緯糸３との交錯部分をそれぞれ抑圧する形で左右に跨設し、表基布４の１本の緯糸３および裏基布５の２本の緯糸３に引っ掛けて織り込んでなる請求項１記載の面ファスナー。
【請求項５】
搦み糸１３は表基布４に配する２本の経糸２が緯糸３の表面で交錯する前後を抑圧する形で左右に跨設し、表基布４の緯糸３に引っ掛けて織り込んでなる請求項１記載の面ファスナー。
【請求項６】
搦み糸１３をループ状係合素子７を植設した表基布４に配設してなる請求項１記載の面ファスナー。
【請求項７】
搦み糸１３は合成繊維のモノフィラメントから形成してなる請求項１記載の面ファスナー。
【請求項８】
経糸２は表基布４と裏基布５との接結糸となり緯糸３を３本以上跨いで、表基布４また裏基布５の表面に表れる形に織り込んでなる請求項１記載の面ファスナー。
【発明の詳細な説明】
【技術分野】
【０００１】
この発明は、基布の裏面に熱可塑性樹脂によるバックコーティングを施す必要のない基布から形成され、安定した形態で表面が毛羽立たず美しい基布から形成された面ファスナーに関するものである。
【背景技術】
【０００２】
従来、面ファスナーにおいて、係合素子用糸を経糸、緯糸で織成した基布に織り込んで、係合素子用糸を基布に強固に固定して頑丈な面ファスナーに仕上げるため、基布の裏面全体にポリエステル系樹脂やポリウレタン系樹脂などの樹脂を塗布して係合素子用糸を固定したバックコーティング方式を施した面ファスナーが知られている。
【０００３】
また、面ファスナーを表基布と裏基布とからなる経二重織物の基布に面ファスナーの係合素子を形成する係合素子用糸を織り込み、織成面の表面へ係合素子が突出する形に植設し、表基布と裏基布との間に経糸、緯糸、係合素子用糸あるいは接結糸を配した構成糸よりも融点の低い熱溶融糸を織り込み、例えば構成糸にナイロン６６繊維を用い、熱溶融糸にナイロン６繊維を用い、織成後熱溶融糸を加熱溶融して表基布と裏基布とを一体に溶着した面ファスナーが知られている。
【特許文献１】特開平１１−２４４０１０号公報
【特許文献２】特開２００１−３０９８０５号公報
【発明の開示】
【発明が解決しようとする課題】
【０００４】
前項で述べた面ファスナーの基布の裏面をコーティングした面ファスナーは、織成した基布の裏面全体にポリエステル系樹脂や、ポリウレタン系樹脂などの樹脂を塗布するバックコーティングを施すため、面ファスナーの基布裏面が硬直化して肌触りが悪く製品の柔軟性を失う傾向が強い。
【０００５】
また面ファスナーを表基布と裏基布とから形成する経二重織物の基布に係合素子用糸を織り込み、表基布の表面に係合素子を植設するとともに、表基布と裏基布との間に融点の低い熱溶融糸を織り込んで加熱溶融して、表基布と裏基布とを溶着した面ファスナーは、係合素子の根元を基布に強固に固定することができるが、表基布の表面に形成される係合素子が存在しない耳部などの非係合部が他物またはフック係合素子によって表面が毛羽立ち見映えが悪く、かつ係合機能を低下させる恐れがある。
【０００６】
この発明は、上述の問題点を考慮して発明されたものであり、請求項１記載の発明は、面ファスナーが表基布と裏基布とからなる経二重織物から作製し、基布の表面に係合部と非係合部とが存在する形に形成し、非係合部の経糸が毛羽立ちするのを防ぎ、見映えのよいしかも係合機能を低下させることがなく柔軟性を備えた品質のよい面ファスナーを提供することが主たる目的である。
【０００７】
請求項２および３記載の発明は、それぞれ請求項１記載の発明の目的に加え、面ファスナーの基布の表面に存在する係合素子がない非係合部の部位を特定し、この非係合部を搦み糸を用いて毛羽立ちを防止した面ファスナーを提供することが目的である。
【０００８】
請求項４および５記載の発明は、それぞれ請求項１記載の発明の目的に加え、面ファスナーに配する搦み糸を経糸の何処を抑圧すれば効果があるか、その部位を特定し、かつ表基布、裏基布の双方に配するか、あるいは表基布のみに配し、有効に毛羽立ち防止機能が発揮できる面ファスナーを提供することが目的である。
【０００９】
請求項６記載の発明は、請求項１記載の発明の目的に加え、経糸の毛羽立ち防止機構を施す非係合部を面ファスナーのループ状係合素子を植設した側の基布に特定することにより、優れた防止機能が発揮できる面ファスナーを提供することが目的である。
【００１０】
請求項７記載の発明は、請求項１記載の発明の目的に加え、搦み糸の素材を特定し、搦み糸自体の毛羽立ちを防止できる面ファスナーを提供することが目的である。
【００１１】
請求項８記載の発明は、請求項１記載の発明の目的に加え、簡単な織組織で感触が柔軟で体裁のよい経二重織物から形成した面ファスナーを提供することが目的である。
【課題を解決するための手段】
【００１２】
前記の目的を達成するため、この発明のうち請求項１記載の発明は、面ファスナーを表基布４と裏基布５とからなる経二重織物１から織成し、基布４，５上に面ファスナーの係合素子７を形成する係合素子用糸８を織り込んで織成面の表面へ係合素子７を突出させて係合部１０を形成し、表基布４に設ける係合素子７のない非係合部１１における経糸２を搦み糸１３で絡み付け、表基布４と裏基布５との間に経糸２、緯糸３、係合素子用糸８、搦み糸１３よりも融点の低い熱溶融糸１４を織り込み、この熱溶融糸１４を加熱し溶融して表基布４と裏基布５とを一体に溶着した面ファスナーを主な構成とするものである。
【００１３】
請求項２記載の発明は、請求項１記載の発明の構成に加え、搦み糸１３は基布４，５の縦方向に配列された係合素子７間に形成された係合素子７のない非係合部１１に配設した面ファスナーである。
【００１４】
請求項３記載の発明は、請求項１記載の発明の構成に加え、搦み糸１３は基布４，５の両側縦方向に形成された係合素子７のない耳部１２の非係合部１１に配設した面ファスナーである。
【００１５】
請求項４記載の発明は、請求項１記載の発明の構成に加え、搦み糸１３は表基布４に配する２本の経糸２のうち、一方の経糸２は中間を抑圧し、他方の経糸２は前後の緯糸３との交錯部分を抑圧する形で左右に跨り、表基布４の１本の緯糸３および裏基布５の２本の緯糸３に引っ掛けて織り込んだ面ファスナーである。
【００１６】
請求項５記載の発明は、請求項１記載の発明の構成に加え、搦み糸１３は表基布４に配する２本の経糸２が表基布４の緯糸３の表面で交錯する前後において経糸２を抑圧する形で左右に跨設し、搦み糸１３を表基布４の緯糸３に引っ掛けて織り込んだ面ファスナーである。
【００１７】
請求項６記載の発明は、請求項１記載の発明の構成に加え、非係合部１１の経糸２を絡み付ける搦み糸１３は、基布４，５にループ状係合素子７を植設した側の基布４，５に配した面ファスナーである。
【００１８】
請求項７記載の発明は、請求項１記載の発明の構成に加え、非係合部１１の経糸２を絡み付ける搦み糸１３は、ポリアミド系、ポリエステル系などの合成繊維のモノフィラメントから形成した面ファスナーである。
【００１９】
請求項８記載の発明は、請求項１記載の発明の構成に加え、面ファスナーの素材に用いる経二重織物は、経糸２が表基布４と裏基布５との接結糸となって織成され、基布４，５の緯糸３を３本以上にわたって跨ぎ、経糸２が表基布４また裏基布５の表面に表れる形に織り込んだ面ファスナーである。
【発明の効果】
【００２０】
この出願の発明の効果として、請求項１記載の発明は、表基布と裏基布とからなる経二重織物の基布に面ファスナーの係合素子を形成する係合素子用糸を織り込み、織成面の表面へ係合素子を突出させて係合部を形成し、表基布に設けた非係合部の経糸を搦み糸で絡み付け、表基布と裏基布との間に経糸、緯糸、係合素子用糸、搦み糸よりも融点の低い熱溶融糸を織り込み、加熱溶融して表基布と裏基布とを一体に溶着したことによって、下記の効果を奏する。
【００２１】
面ファスナーの基布に形成される係合素子のない非係合部の表面が毛羽立ちするのを未然に防ぎ、見映えのよくかつ係合素子の根元を基布に強固に固定することができるから係合機能の向上が図れる。また面ファスナーの裏面が樹脂によるコーティングがなされていないので、柔軟性があり肌触りがよく品質のよい面ファスナーに仕上げることができる効果がある。
【００２２】
請求項２および３記載の発明は、それぞれ請求項１記載の発明の効果に加え、基布の縦方向に配列した係合素子間に形成された非係合部、または基布の両側縦方向に形成された耳部の非係合部に搦み糸を配設したことによって、縦方向に配列された係合素子のない非係合部また両側縦方向の係合素子のない耳部の非係合部を簡単に毛羽立ちのない見映えのよい面ファスナーに仕上げることができる効果がある。
【００２３】
請求項４記載の発明は、請求項１記載の発明の効果に加え、搦み糸は表基布に配する２本の経糸のうち、一方の経糸は中間を、他方の経糸は前後の緯糸との交錯部分をそれぞれ抑圧する形で左右に跨設し、表基布の１本の緯糸および裏基布の２本の緯糸に引っ掛けて織り込んだことによって、搦み糸は、表基布と裏基布とにわたって織り込まれ、表基布と裏基布との接結糸の役目を果たし、頑丈で体裁のよい面ファスナーに仕上げることができる効果がある。
【００２４】
請求項５記載の発明は、請求項１記載の発明の効果に加え、搦み糸は表基布に配する２本の経糸が緯糸の表面で交錯する前後を抑圧する形で左右に跨設し、表基布の緯糸に引っ掛けて織り込んだことによって、搦み糸を表基布のみに配して非係合部の毛羽立ち防止を簡易に達成させることができ、体裁のよい面ファスナーを簡便に作製できる効果がある。
【００２５】
請求項６記載の発明は、請求項１記載の発明の効果に加え、搦み糸をループ状係合素子を植設した基布に配設したことによって、面ファスナーのループ状係合素子を有効に保護し円滑な係脱操作を行うことができる効果がある。
【００２６】
請求項７記載の発明は、請求項１記載の発明の効果に加え、搦み糸は合成繊維のモノフィラメントから形成したことによって、搦み糸自体が毛羽立つことがなく、経糸の毛羽立ちを長期にわたって防止することができる効果がある。
【００２７】
請求項８記載の発明は、請求項１記載の発明の効果に加え、経糸は表基布と裏基布との接結糸となり緯糸を３本以上跨いで、表基布また裏基布の表面に表れる形に織り込んだことによって、簡単な織組織で手触りが柔らかく長期の使用に耐えられる面ファスナーの素材に仕上げられる効果があるなど、この発明が奏する効果はきわめて顕著である。
【発明を実施するための最良の形態】
【００２８】
この発明における面ファスナーは、図１，２に示すように、経二重織組織の織物１で、経糸２と緯糸３とによって織成された表基布４と裏基布５とから形成され、表基布４と裏基布５の一方または両方にわたって、面ファスナーの係合素子７を形成するための係合素子用糸８を織り込み、係合部１０を形成する。経二重織物１はニードル織機によって平織組織で織成する。
【００２９】
面ファスナーは、ポリアミド系、ポリエステル系またはポリプロピレン系の合成繊維の経糸２と同じく同種の合成繊維のダブルピックの緯糸３とによって経二重織物１の表基布４と裏基布５とを織成し、同時に面ファスナーの係合素子７を形成するための係合素子用糸８を織り込んで表基布４上に係合部１０を形成する。係合部１０は上記の合成繊維のマルチフィラメントを用いてループ状係合素子７、また同種の合成繊維のモノフィラメントを用いてフック状係合素子７を形成する。
【００３０】
表基布４には、係合素子７による係合部１０と係合素子７のない非係合部１１を形成する。非係合部１１は基布４，５の両側の耳部１２、また基布４，５の表面縦方向に適宜幅で係合素子７間に形成する。この非係合部１１における表基布４の複数本の経糸２を搦み糸１３で絡み付ける。
【００３１】
搦み糸１３は合成繊維のモノフィラメントを用いて、図１に示すように表基布４の耳部１２に配された２本の経糸２例えば（ｅ），（ｃ）を搦み糸１３によって絡み付けるが、搦み糸１３は裏基布５の緯糸３（２）と交錯した後、経糸２（ｅ），（ｃ）上を浮かせて跨らせ、裏基布５の緯糸３（４）に引っ掛けて交錯させた後、表基布４の緯糸３（１′）、裏基布５の緯糸３（２′）と交錯させた後、経糸２（ｃ），（ｅ）上を跨らせて、裏基布５の緯糸３（４′）に引っ掛けて交錯させ順次この織組織を繰り返して絡み付けて織成する。搦み糸１３は経糸２（ｅ）の中間と、経糸２（ｃ）の前後の緯糸３（３）、（４）との交錯部分を抑圧する形で跨設する。
【００３２】
織成される表基布４と裏基布５との間には経糸２、緯糸３、係合素子用糸８および搦み糸１３よりも融点が低い合成繊維の熱溶融糸１４を挿通し介在する形で織り込み、織成後において熱溶融糸１４を加熱溶融することにより、表基布４と裏基布５とを内面において一体に溶着するとともに、溶融部分の一部が係合素子７の根元の内面および搦み糸１３に付着して係合素子７の根元および搦み糸１３を表基布４と裏基布５へ強固に固定する。
【００３３】
この面ファスナーは、係合素子７のない非係合部１１における経糸２複数本を搦み糸１３で絡み付けることにより、面ファスナーを使用したとき、非係合部１１を係合相手の面ファスナー、特にフック状係合素子７または他物に引っ掛かり、経糸２を毛羽立てて面ファスナーの品質の低下をきたすことを搦み糸１３によって阻止するものである。なお、搦み糸１３は複数本の経糸２を絡み付けるのでなく、非係合部１１における１本の経糸２を絡み付けて織成してもよい。
【実施例１】
【００３４】
図１，２に示す実施例の面ファスナーについて説明すると、面ファスナーはポリアミド系、ポリエステル系、ポリプロピレン系の合成繊維のマルチフィラメントから形成した経糸２と同じく同種の合成繊維のダブルピックの緯糸３とによって経二重織物１の表基布４と裏基布５とをニードル織機を用いて平織組織で織成する。この際面ファスナーの係合素子７を形成するための係合素子用糸８を織り込む。係合素子用糸８はループ状係合素子７を作製する場合は、ポリアミド系またはポリエステル系あるいはポリプロピレン系などの合成繊維のマルチフィラメントを織り込みナッピングまたはブラッシングしてループ状係合素子７を形成する。またフック状係合素子７を作製する場合は、同種の合成繊維のモノフィラメントを織り込んでループを形成し、後にループの一側をカットしてフック状係合素子７を形成する。
【００３５】
係合素子用糸８は表基布４の経糸２と裏基布５の経糸２とを数ピックおきに左右に浮かせて跨いでループ状に織り込み、表面に係合素子７のループ部分が突出する形の係合部１０を形成する。またダブルピックの緯糸３の一側端を耳糸１５によってループ状に連綴して耳部１２を形成し、耳部１２は係合素子７のない非係合部１１を図５に示すような形に面ファスナーの両側に形成する。この耳部１２における非係合部１１の経糸２（ｃ），（ｅ）の２本を前記と同種の合成繊維のモノフィラメントからなる搦み糸１３を用いて絡み付ける。
【００３６】
経糸２（ｌ）、（ｈ）、（ｄ）と経糸２（ｊ）、（ｆ）は裏基布５に配される経糸２であり、経糸２（ｌ）、（ｈ）、（ｄ）は緯糸３（１）の下を潜り、緯糸３（２）の上を跨ぎ、さらに緯糸３（３）、（４）、（１′）へ潜り込む操作を繰り返して織成し、経糸２（ｊ）、（ｆ）は緯糸３（１）、（２）、（３）の下を潜り抜け、緯糸３（４）の上へ浮かせて跨ぎ、これを繰り返す。また経糸２（ｋ）、（ｇ）、（ｃ）と経糸２（ｉ）、（ｅ）は裏基布４に配される経糸であり、経糸２（ｋ）、（ｇ）、（ｃ）は緯糸３（１）、（２）の上を跨ぎ、緯糸３（３）の下へ潜り緯糸３（４）上へ浮かせて跨ぐ操作を繰り返して織成し、経糸２（ｉ）、（ｅ）は経糸２（ｌ）の下へ潜り込み、経糸２（２）、（３）、（４）の上へ浮き上がらせて跨ぎ、これを繰り返して織成する。
【００３７】
このように織成することで、経糸２が表基布４と裏基布５との接結糸となり経二重織物が織られる。経糸２（ｋ）、（ｉ）、（ｇ）、（ｅ）、（ｃ）は表基布４側で緯糸３を３本跨ぐ状態となり、経糸２（ｌ）、（ｈ）、（ｄ）、（ｊ）、（ｆ）は裏基布５側で緯糸３を３本潜る状態となる。
【００３８】
絡み付けは図１に示すように、搦み糸１３は裏基布５の緯糸３（２）と交錯させた後、表基布４の緯糸３（３）と経糸２（ｅ）、（ｃ）上を浮かせて跨らせ、裏基布５の緯糸３（４）に引っ掛けて交錯させた後、表基布４の緯糸３（１′）、裏基布５の緯糸３（２′）と交錯させた後、表基布４の経糸２（ｃ）、（ｅ）および緯糸３（３′）上を跨らせて裏基布５の緯糸３（４′）に引っ掛けて交錯させ、順次この組織を繰り返して絡み付けて織成する。搦み糸１３は、経糸２（ｅ）の中間と、経糸２（ｃ）の前後の緯糸３との交錯部分を抑圧する形で跨設される。
【００３９】
また、経糸２（ｇ）、（ｉ）を絡み付ける搦み糸１３は、表基布４の緯糸３（１）と経糸２（ｇ）、（ｉ）上を浮かせて跨らせ、裏基布４の緯糸３（２）に引っ掛けて交錯させた後、表基布４の緯糸３（３）、裏基布５の緯糸３（４）に交錯させた後、表基布４の経糸２（ｉ）、（ｇ）および緯糸３（１′）上を跨らせて裏基布５の緯糸３（２′）に引っ掛けて交錯させ、順次この織組織を繰り返して絡み付けて織成する。
【００４０】
織成される表基布４と裏基布５との間に経糸２、緯糸３、係合素子用糸８および搦み糸１３よりも融点の低い合成繊維の熱溶融糸１４を挿通し介在する形で織り込む。例えば経糸２、緯糸３、係合素子用糸８および搦み糸１３にポリアミド系のナイロン６６繊維を用い、熱溶融糸１４にナイロン６繊維を用いて織成し、織成後に熱溶融糸１４であるナイロン６繊維を加熱し溶融して表基布４と裏基布５とを内面において一体に溶着し、溶融部分の一部が係合素子７の根元および搦み糸１３に付着して強固に固定する。
【００４１】
面ファスナーの裏面である裏基布５の表面に樹脂が滲透することがなく、肌触りがよくしかも非係合部１１は搦み糸１３によって絡み付けられ、係合相手のフック状係合素子７または他物との接触、例えばブラッシングなどの加工において表基布４の表面は毛羽立ちすることがなく、長期にわたって安定した状態で係脱操作が行え、品質のよい面ファスナーが得られる。
【００４２】
なお経二重織物１の織組織は平織組織に限定されるものではなく他の組織で織成してもよい。また面ファスナー上に形成される係合素子７のない非係合部１１は、例えば図６に示すように面ファスナーの中央縦方向に非係合部１１を形成し、この非係合部１１の経糸２に搦み糸１３を絡み付けて毛羽立ちを防止することもできる。
【実施例２】
【００４３】
図３，４に示す実施例の面ファスナーは、経二重織物１の表基布４と裏基布５との織組織および経糸２、緯糸３、係合素子用糸８、搦み糸１３および熱溶融糸１４の素材は実施例１と同様であり、異なるところは搦み糸１３の織り込み配置が異なる。
【００４４】
搦み糸１３の配置は、図３，４に示すように表基布４のみに搦み糸１３を配する。例えば図３のように搦み糸１３は表基布４の緯糸３（１）と交錯した後、経糸２（ｃ）および経糸２（ｅ）上を浮かせて跨らせ、表基布４の緯糸３（３）に引っ掛けて交錯させた後、緯糸３（１′）と交錯させ、次に緯糸３（３′）と交錯させた後、経糸２（ｅ）および経糸２（ｃ）上を浮かせて跨らせ、表基布４の緯糸３（１″）に引っ掛けて交錯させ、順次この絡み付けを繰り返し、図４に示すように搦み糸１３を表基布４のみに配して織成する。
【００４５】
織成された経二重織物１の表基布４と裏基布５はその間に介在する熱溶融糸１４を加熱し溶融して表基布４と裏基布５とを溶着させることにより、係合素子７の根元は勿論、搦み糸１３を表基布４の裏面で強固に固定することができる。
【実施例３】
【００４６】
図５に示す実施例の面ファスナーは、経二重織物１の表基布４と裏基布５との織組織および経糸２、緯糸３、係合素子用糸８、搦み糸１３および熱溶融糸１４の素材は前記各実施例と同様であり、異なるところは搦み糸１３を絡み付ける経糸２は表基布４の非係合部１１に配された経糸２、１本に対し絡み付ける形態で異なる。
【００４７】
搦み糸１３は、図５に示すように表基布４における非係合部１１に配された経糸２（ｉ）、（ｇ）にそれぞれ搦み糸１３を絡み付ける。例えば経糸２（ｉ）に対して搦み糸１３は緯糸３（１）と交錯した後、緯糸３（２）に引っ掛けて潜り、次に経糸２（ｉ）の表基布４上に表出する中間部分を左右に跨いで経糸２を抑止して緯糸３（４）に引っ掛けて潜り、緯糸３（１′）と交錯した後、緯糸３（２′）に引っ掛けて潜り、次に経糸２（ｉ）の表基布４上に表出する中間部分を左右に跨いで経糸２を抑止して緯糸３（４′）に引っ掛けて潜り、緯糸３（１″）と交錯して緯糸３（２″）に引っ掛けて潜り、次に経糸２（ｉ）の表基布４上に表出する中間部分を左右に跨いで経糸２を抑止して緯糸３（４′）に引っ掛けて潜る形態を繰り返して織成する。
【００４８】
経糸２（ｇ）に対する搦み糸１３は、経糸２（ｇ）の表基布４上に表出する中間部分を左右に跨いで経糸２を抑止して緯糸３（２）に引っ掛けて潜り、次に緯糸３（３）と交錯して緯糸３（４）に引っ掛けて潜り、次に経糸２（ｇ）の表基布４上に表出する中間部分を左右に跨いで経糸２を抑止して緯糸３（２′）に引っ掛けて潜り、緯糸３（３′）と交錯して緯糸３（４′）に引っ掛けて潜り、次に経糸２（ｇ）の表基布４上に表出する中間部分を左右に跨いで経糸２を抑止して緯糸３（２″）に引っ掛けて潜り、緯糸３（３″）と交錯して緯糸３（４″）に引っ掛けて潜る形態を繰り返して織成する。以上のとおり表基布４の非係合部１１に配された１本の経糸２に対し搦み糸１３を絡み付け、非係合部１１の経糸２の毛羽立ちを防止するものである。
【産業上の利用可能性】
【００４９】
この発明の面ファスナーは、面ファスナーの表面が柔軟性を備え肌触りがよいので、衣服、鞄、袋物などの開口部は勿論、特に衣服などの肌に接触する下着、パジャマ、おむつカバーなどに取り付けて使用するのに好適である。
【図面の簡単な説明】
【００５０】
【図１】搦み糸を表基布と裏基布とに絡み付けた面ファスナーの組織図である。
【図２】同上面ファスナーの断面図である。
【図３】搦み糸を表基布のみに絡み付けた面ファスナーの組織図である。
【図４】同上面ファスナーの断面図である。
【図５】搦み糸を１本の経糸に絡み付けた面ファスナーの組織図である。
【図６】両側に非係合部を備えた面ファスナーの斜視図である。
【図７】両側と中央に非係合部を備えた面ファスナーの斜視図である。
【符号の説明】
【００５１】
１            織物
２            経糸
３            緯糸
４            表基布
５            裏基布
７            係合素子
８            係合素子用糸
１０            係合部
１１            非係合部
１３            搦み糸
１４            熱溶融糸
【図１】
2006026193.tif 000003
【図２】
2006026193.tif 000004
【図３】
2006026193.tif 000005
【図４】
2006026193.tif 000006
【図５】
2006026193.tif 000007
【図６】
2006026193.tif 000008
【図７】
2006026193.tif 000009